(57)【特許請求の範囲】
【請求項１】
筐体と、
上記筐体に支持されるユニットと、
上記筐体に設けられた開口部と、この開口部周縁に位置して上記ユニットを支えた支持壁と、上記支持壁の端部に設けられた周壁と、上記支持壁の少なくとも一部および上記周壁の少なくとも一部が切り欠かれた切欠き部と、上記切欠き部に嵌合された蓋とを備えた取付部と、
上記ユニットと上記支持壁との間に介在され、上記開口部を覆うプレートと、
上記プレートと上記支持壁との間に介在されたシーリング部材と、
を具備することを特徴とする電子機器。
【請求項２】
筐体と、
上記筐体に支持されるユニットと、
上記筐体に設けられた開口部と、この開口部周縁に位置して上記ユニットを支えた支持壁と、上記支持壁の端部に設けられた周壁と、上記支持壁の少なくとも一部および上記周壁の少なくとも一部が切り欠かれた切欠き部と、上記切欠き部に嵌合された蓋とを備えた取付部と、
上記ユニットと上記支持壁との間に介在され、上記開口部を覆うとともに、上記支持壁および上記蓋に密着したプレートと、
を具備することを特徴とする電子機器。
【請求項３】
筐体と、
上記筐体に支持されるユニットと、
上記筐体に設けられた開口部と、この開口部周縁に位置して上記ユニットを支えた支持壁と、上記支持壁の端部に設けられた周壁と、上記支持壁の少なくとも一部および上記周壁の少なくとも一部が切り欠かれた切欠き部と、上記切欠き部に嵌合された蓋とを備えた取付部と、を具備し、
上記ユニットは、上記支持壁および上記蓋に密着したことを特徴とする電子機器。
【請求項４】
請求項１乃至請求項３のいずれかに記載の電子機器において、
上記蓋は、上記周壁の切欠き部に嵌合する起立部を有したことを特徴とする電子機器。
【請求項５】
請求項１乃至請求項４のいずれかに記載の電子機器において、
上記取付部は、上記筐体に設けられるキーボード載置部であることを特徴とする電子機器。
【請求項６】
請求項１乃至請求項４のいずれかに記載の電子機器において、
上記支持壁は、上記ユニットに臨む第１の面を有し、上記蓋は、上記ユニットに臨む第２の面を有し、上記第１の面と上記第２の面とが同一面上に位置することを特徴とする電子機器。
【請求項７】
請求項１乃至請求項４のいずれかに記載の電子機器において、
上記取付部は、上記蓋を支持する蓋支持部を有し、上記蓋は、上記蓋支持部に接着されていることを特徴とする電子機器。
【発明の詳細な説明】
【技術分野】
【０００１】
本発明は、開口部が設けられた筐体を備える電子機器に係り、特に筐体の開口部回りの防滴構造に関する。
【背景技術】
【０００２】
ポータブルコンピュータのような電子機器は、筐体を備えている。この筐体内には、例えばコネクタのような電子部品が実装された回路基板が収納されている。さらに筐体は、キーボード載置部を有する。キーボード載置部は、上記回路基板を露呈するように開口する開口部を有している。キーボードは、上記開口部を覆うようにしてキーボード載置部に取付けられる。
【０００３】
例えばキーボードを操作している時に、誤ってコーヒーや飲料水のような液体をキーボードの上にこぼしてしまった場合、液体が上記開口部を通じて、筐体の内部に侵入するおそれがある。特に、筐体内の回路基板に液体が付着した場合には、配線の短絡が発生し、回路基板に実装された電子部品が損傷を受けるおそれがある。そこで、防水機構を設けたコンピュータが提案されている（例えば、特許文献１参照）。
【０００４】
特許文献１に記載のコンピュータは、キーボードの基板に形成された第１排出ホールを有する。第１排出ホールの下方には、第２排出ホールを有するガイドチャネルが設けられている。さらに、第２排出ホールの下方には、コンピュータの外部に開口する第３排出ホールが設けられている。
【特許文献１】特開２００３−１２２４５４号公報
【発明の開示】
【発明が解決しようとする課題】
【０００５】
例えばポータブルコンピュータの防水性を高めるために、キーボード載置部において、開口部を取り囲むようにキーボードを支持する支持壁を形成し、この支持壁にキーボードを密着させることで、上記開口部回りを水密にすることが考えられる。
【０００６】
しかし、ポータブルコンピュータは、例えば液晶表示パネルのような表示装置を内部に収容した表示ユニットを備えている。この表示装置は、筐体内に収容された回路基板に例えばケーブルを介して電気的に接続される。  
このケーブルをキーボード載置部の開口部を通じて筐体内に導くとすれば、ケーブルがキーボードと支持壁との間に介在し、上記開口部回りを水密とすることができない。
【０００７】
本発明は、防水性の向上を図った電子機器を得ることにある。
【課題を解決するための手段】
【０００８】
上記目的を達成するため、本発明の一つの形態に係る電子機器は、
筐体と、筐体に支持されるユニットと、取付部と、プレートと、シーリング部材とを具備する。取付部は、筐体に設けられた開口部と、この開口部周縁に位置してユニットを支えた支持壁と、支持壁の端部に設けられた周壁と、支持壁の少なくとも一部および上記周壁の少なくとも一部が切り欠かれた切欠き部と、切欠き部に嵌合された蓋とを備える。プレートは、ユニットと支持壁との間に介在され、上記開口部を覆う。シーリング部材は、プレートと支持壁との間に介在される。
【発明の効果】
【０００９】
この構成によれば、開口部回りの水密性を確保でき、電子機器の防水性を高めることができる。
【発明を実施するための最良の形態】
【００１０】
以下に本発明の実施の形態を、ポータブルコンピュータに適用した図面に基づいて説明する。
【００１１】
図１ないし図８は、本発明の第１の実施形態に係る電子機器としてのポータブルコンピュータ１を開示している。図１に示すように、ポータブルコンピュータ１は、本体２と表示ユニット３とを備えている。
【００１２】
本体２は、箱状の筐体４を備えている。筐体４は、上壁４ａ、周壁４ｂ、および図示しない底壁を備えている。筐体４の上壁４ａは、ユニットとしてのキーボード５を支持している。筐体４は、内部に回路基板６を収容している。
【００１３】
表示ユニット３は、ディスプレイハウジング７と、このディスプレイハウジング７に収容された液晶表示パネル８とを備えている。液晶表示パネル８は、表示画面８ａを有している。表示画面８ａは、ディスプレイハウジング７の前面の開口部７ａを通じてディスプレイハウジング７の外部に露出している。液晶表示パネル８は、ケーブル９を介して筐体４内に収容される回路基板６と電気的に接続されている。
【００１４】
表示ユニット３は、筐体４の後端部に図示しないヒンジ装置を介して支持されている。そのため、表示ユニット３は、上壁４ａを上方から覆うように倒される閉じ位置と、上壁４ａ、および表示画面８ａを露出させるように起立する開き位置との間で回動可能である。
【００１５】
図２に示すように、本体２は、上壁４ａに設けられたキーボード載置部１１と、キーボード載置部１１に取付けられるプレート１２とを有する。  
キーボード載置部１１は、取付部の一例であり、キーボード５よりわずかに大きな外形を有するとともに、キーボード５の厚さに対応して窪んでいる。キーボード載置部１１には、キーボード５が着脱自在に取付けられる。キーボード載置部１１は、開口部１４、周壁１５、支持壁としての第１の底壁１６、切欠き部１７、および蓋１８を備えている。
【００１６】
開口部１４は、キーボード載置部１１のほぼ全体にわたって設けられている。開口部１４は、回路基板６を露呈するように筐体４内に開口している。開口部１４を通じて、回路基板６に実装された例えばコネクタのような電子部品（図示しない）の接続作業が行われる。
【００１７】
図２に示すように、周壁１５は、キーボード載置部１１の周縁において、キーボード載置部１１を外れた上壁４ａから下方に延びている。周壁１５の下端からは、第１の底壁１６が開口部１４を向いて水平に張り出している。換言すれば、周壁１５は、第１の底壁１６のなかで開口部１４を外れた周端部から起立している。
【００１８】
第１の底壁１６は、キーボード５に臨む第１の面としての上面１６ｕを有する。第１の底壁１６は、キーボード５がキーボード載置部１１に取付けられたとき、キーボード５を下方から支える。
【００１９】
第１の底壁１６は、開口部１４の全周縁を取り囲んでいる。具体的には、第１の底壁１６は、開口部１４の前方に位置する第１の壁部１６ａ、開口部１４の左方に位置する第２の壁部１６ｂ、開口部１４の右方に位置する第３の壁部１６ｃ、および開口部１４の後方に位置する第４の壁部１６ｄを有する。
【００２０】
図２に示すように、第１の底壁１６は、第１ないし第４の係合部２１ａ，２１ｂ，２１ｃ，２１ｄを有する。第１の係合部２１ａは、第１の壁部１６ａに設けられている。第１の係合部２１ａは、筐体４の幅方向に並んで配置されている。第１の係合部２１ａは、第１の壁部１６ａの後端に切りかかれた矩形状の切欠きである。
【００２１】
第２の係合部２１ｂは、第２の壁部１６ｂに設けられている。第２の係合部２１ｂは、筐体４の奥行き方向に並んで配置されている。第２の係合部２１ｂは、第２の壁部１６ｂの右端に切りかかれた矩形状の切欠きである。第３の係合部２１ｃは、第３の壁部１６ｃに設けられている。第３の係合部２１ｃは、筐体４の奥行き方向に並んで配置されている。第３の係合部２１ｃは、第３の壁部１６ｃの左端に切りかかれた矩形状の切欠きである。
【００２２】
第４の係合部２１ｄは、第４の壁部１６ｄに設けられている。第４の係合部２１ｄは、筐体４の幅方向に並んで配置されている。第４の係合部２１ｄは、第４の壁部１６ｂに筐体４内に開口した矩形状の孔である。
【００２３】
図２に示すように、切欠き部１７は、キーボード載置部１１の左後方において、第１の底壁１６の一部および周壁１５の一部を切欠いている。図３に示すように、切欠き部１７は、第１の溝部１７ａ、第２の溝部１７ｂ、第１の段差部２４ａ、および第２の段差部２４ｂを有する。
【００２４】
第１および第２の段差部２４ａ，２４ｂは、蓋支持部の一例である。第１の段差部２４ａは、切欠き部１７の左端部に位置している。第２の段差部２４ｂは、切欠き部１７の右端部に位置している。第１および第２の段差部２４ａ，２４ｂは、それぞれ第２の底壁２５、側壁２６、後壁２７、およびねじ穴２８を有する。
【００２５】
第２の底壁２５は、第１の底壁１６に比べて一段下がった位置に設けられている。第１の段差部２４ａの側壁２６は、第２の底壁２５の左端から起立している。第２の段差部２４ｂの側壁２６は、第２の底壁２５の右端から起立している。側壁２６は、第２の底壁２５を第１の底壁１６につなげている。後壁２７は、第２の底壁２５の後端から起立している。ねじ穴２８は、第１の段差部２４ａの第２の底壁２５に上方を向いて設けられている。
【００２６】
第１の溝部１７ａは、第１および第２の段差部２４ａ，２４ｂの間に位置し、第１および第２の段差部２４ａ，２４ｂの第２の底壁２５を分断している。
【００２７】
第１の溝部１７ａの後方には、第２の溝部１７ｂが設けられている。第２の溝部１７ｂは、第１および第２の段差部２４ａ，２４ｂの間に位置し、第１および第２の段差部２４ａ，２４ｂの後壁２７を分断している。第２の溝部１７ｂは、第１の溝部１７ａと連通している。
【００２８】
図３に示すように、第２の溝部１７ｂの後方には、ケーブル取付溝２９が設けられている。ケーブル取付溝２９は、溝底２９ａと、溝底２９ａから起立する左右の両側壁２９ｂとを有する。図８に示すように、溝底２９ａは、キーボード載置部１１の第１の底壁１６より下方に位置している。
【００２９】
ケーブル取付溝２９は、キーボード載置部１１の下方において、筐体４の内部と連通している。ケーブル取付溝２９に沿って、液晶表示パネル８からケーブル９が延びている。ケーブル９は、開口部１４を通じてさらに筐体４内へと延びている。切欠き部１７は、ケーブル取付溝２９に対応する位置に、すなわちケーブル９の配線位置に対応するように設けられている。
【００３０】
図３に示すように、蓋１８は、切欠き部１７に着脱自在に嵌合する。蓋１８は、第３の底壁３１、起立部３２、およびねじ穴３３を有する。第３の底壁３１は、切欠き部１７の横幅、すなわち第１の段差部２４ａの左端と第２の段差部２４ｂの右端との間の距離と同じ横幅を有する。これにより、蓋１８の第３の底壁３１は、第１の溝部１７ａを覆うとともに、第１の段差部２４ａの側壁２６と第２の段差部２４ｂの側壁２６との間に嵌合する。第３の底壁３１は、キーボードに臨む第２の面としての上面３１ｕ、下面３１ａ、左側面３１ｂ、および右側面３１ｃを有する。
【００３１】
第３の底壁３１の厚さは、第１および第２の段差部２４ａ，２４ｂの側壁２６の厚さと同じである。すなわち、図４に示すように、蓋１８を第１および第２の段差部２４ａ，２４ｂに取付けた場合、第３の底壁３１の上面３１ｕは、第１の底壁１６の上面１６ｕと同一平面に位置する。
【００３２】
蓋１８の起立部３２は、第３の底壁３１の後端から起立し、周壁１５とほぼ同じ高さを有する。起立部３２は、切欠き部１７の横幅と同じ横幅を有する。これにより、蓋１８の起立部３２は、第２の溝部１７ｂを覆うとともに、切欠き部１７の左縁にある周壁１５と、切欠き部１７の右縁にある周壁１５との間に嵌合する。
【００３３】
図３に示すように、ねじ穴３３は、第１の段差部２４ａのねじ穴２８に対応する位置に設けられている。  
図７に示すように、第３の底壁３１の下面３１ａ，および左右の側面３１ｂ，３１ｃは、接着層３４を有する。接着層３４の一例としては、例えば両面テープなどが好適である。蓋１８は、接着層３４により、第１および第２の段差部２４ａ，２４ｂに固定される。
【００３４】
図２に示すように、プレート１２は、キーボード載置部１１の開口部１４より大きな外形を有する板状に形成されている。プレート１２の材料としては、軽量かつ剛性を有する材料が好適であり、例えばマグネシウム合金のような材料が用いられる。プレート１２は、第１ないし第４の係止部３６ａ，３６ｂ，３６ｃ，３６ｄを有する。第１の係止部３６ａは、キーボード載置部１１の第１の係合部２１ａに対応するように設けられている。
【００３５】
図５に示すように、第１の係止部３６ａは、第１の部材３７、第２の部材３８、およびインシュレータ３９を有する。第１の部材３７は、プレート１２の下面１２ｂから下方に突出している。第２の部材３８は、第１の部材３７の先端から、プレート１２の下面１２ｂと平行に筐体４の前方を向いて突出している。すなわち、第１の係止部３６ａは、Ｌ字形をしたフックである。
【００３６】
第１の係止部３６ａは、製造上の都合から、プレート１２の上面１２ａから下面１２ｂに貫通する孔４０を有する。インシュレータ３９は、孔４０を塞ぐようにプレート１２の上面１２ａに取付けられる。なお、プレート１２は、インシュレータ３９の上面３９ａがプレート１２の上面１２ａから突出しないように、インシュレータ３９が取付けられる部位に窪み４１を有する。インシュレータ３９の素材としては、液体に対して不浸透性であればよく、例えば粘着材が塗布された樹脂製のフィルムやシート片が好適である。
【００３７】
以上第１の係止部３６ａについて説明したが、第２ないし第４の係止部３６ｂ，３６ｃ，３６ｄも同様に、それぞれ第１の部材３７、第２の部材３８、およびインシュレータ３９を有する。図６に示すように、第２の係止部３６ｂは、キーボード載置部１１の第２の係合部２１ｂに対応するように設けられている。第２の係止部３６ｂの第２の部材３８は、プレート１２の下面１２ｂと平行に筐体４の左方を向いて突出している。
【００３８】
第３の係止部３６ｃは、第３の係合部２１ｃに対応するように設けられている。第３の係止部３６ｃの第２の部材３８は、プレート１２の下面１２ｂと平行に筐体４の右方を向いて突出している。第４の係止部３６ｄは、第４の係合部２１ｄに対応するように設けられている。第４の係止部３６ｄの第２の部材は、プレート１２の下面１２ｂと平行に筐体４の前方を向いて突出している。
【００３９】
図２に示すように、プレート１２は、開口部１４を覆うようにしてキーボード載置部１１に取付けられる。すなわち、プレート１２の第１ないし第４の係止部３６ａ，３６ｂ，３６ｃ，３６ｄをそれぞれキーボード載置部１１の第１ないし第４の係合部２１ａ，２１ｂ，２１ｃ，２１ｄに係合させる。
【００４０】
図６に示すように、具体的には、第１ないし第４の係止部３６ａ，３６ｂ，３６ｃ，３６ｄの第２の部材３８を、第１ないし第４の係合部２１ａ，２１ｂ，２１ｃ，２１ｄの切欠きまたは孔に挿入する。第２の部材３８を切欠きまたは孔に挿入した後、プレート１２を筐体４の前方に向けてスライドさせる。プレート１２をスライドさせると、第１ないし第４の係止部３６ａ，３６ｂ，３６ｃ，３６ｄの第２の部材３８が第１の底壁１６の下面に引っかかり、プレート１２が筐体４の上下方向に確実に固定される。
【００４１】
プレート１２をスライドさせた状態で、プレート１２は、図示しないねじとねじ穴によりキーボード載置部１１に固定される。これにより、プレート１２は、筐体４の水平方向にも固定される。
【００４２】
図２に示すように、キーボード５は、キーボード載置部１１にプレート１２を取付けた後、プレート１２の上に載置される。すなわち、プレート１２は、キーボード５と第１の底壁１６との間に介在されている。
【００４３】
キーボード５は、キーボード基板４４、複数のキー４５、およびねじ穴４６を有する。キーボード基板４４は、プレート１２と接している。キー４５は、キーボード基板４４の上に並んで配置されている。図４に示すように、ねじ穴４６は、蓋１８のねじ穴３３に対応する位置に設けられている。
【００４４】
次に、ポータブルコンピュータ１の作用について説明する。
【００４５】
ポータブルコンピュータ１の組立では、まず本体２の筐体４が、内部に回路基板６を収容して組立てられる。組立られた筐体４に、蓋１８、プレート１２、およびキーボード５が取付けられる前の状態では、キーボード載置部１１の開口部１４を通じて回路基板６が筐体４の外部に露呈している。この回路基板６が露呈している状態で、別に組立てられた表示ユニット３が本体２に取付けられる。表示ユニット３を本体２に取付けるとき、表示ユニット３の液晶表示パネル８から延びるケーブル９を、筐体４に収容された回路基板６に接続する作業を行う。
【００４６】
図３および図８に示すように、ケーブル９は、切欠き部１７の第１および第２の溝部１７ａ，１７ｂを上から下に横切るようにして、ケーブル取付溝２９に取付けられる。ケーブル９の先端は、開口部１４に挿入され、筐体４内に導かれる。筐体４内に導かれたケーブル９の先端は、回路基板６に実装されたコネクタ（図示しない）に接続される。これにより、ケーブル９は、回路基板６に電気的に接続される。
【００４７】
図３に示すように、ケーブル９を回路基板６に電気的に接続した後、切欠き部１７に蓋１８を嵌合させる。具体的には、蓋１８は、第３の底壁３１を第１および第２の段差部２４ａ，２４ｂの第２の底壁２５に合わせるようにして、第１および第２の段差部２４ａ，２４ｂに接着される。これにより、蓋１８は、第３の底壁３１が第１の溝部１７ａを覆うとともに、起立部３２が第２の溝部１７ｂを覆う。第１の底壁１６と蓋１８の第３の底壁３１とにより、開口部１４の全周が取り囲まれる。蓋１８と第１および第２の段差部２４ａ，２４ｂとの間の隙間は、接着層３４により密閉される。
【００４８】
図２および図４に示すように、第１および第２の段差部２４ａ，２４ｂに蓋１８を取付けた後に、プレート１２は、筐体４の前方を向けてスライドされることでキーボード載置部１１に固定される。プレート１２がキーボード載置部１１に取付けられることで、開口部１４は、プレート１２により覆われる。さらに、第１ないし第４の係止部３６ａ，３６ｂ，３６ｃ，３６ｄが第１ないし第４の係合部２１ａ，２１ｂ，２１ｃ，２１ｄにそれぞれ係合することで、プレート１２の下面１２ｂは、第１の底壁１６および蓋１８の第３の底壁３１に均一に密着する。
【００４９】
プレート１２がキーボード載置部１１に取付けられた後、キーボード５がプレート１２の上に載置される。図４に示すように、キーボード５をプレート１２の上に載置した状態で、ねじ４８をキーボード５のねじ穴４６から第１の段差部２４ａのねじ穴２８までねじ込み、キーボード５をキーボード載置部１１に固定する。これによりポータブルコンピュータ１が組み上がる。
【００５０】
ポータブルコンピュータ１を使用している時に、誤ってコーヒーや飲料水のような液体をキーボード５の上にこぼした場合、その液体は、キーボード載置部１１に侵入する。ここで、キーボード載置部１１の開口部１４は、プレート１２により覆われている。さらに、プレート１２の下面１２ｂは、第１の底壁１６および蓋１８の第３の底壁３１と密着している。したがって、液体がキーボード載置部１１から筐体４内に侵入することは防止される。
【００５１】
キーボード載置部１１は、周壁１５を有する。さらに、キーボード載置部１１の第２の溝部１７ｂは、蓋１８の起立部３２により覆われている。したがって、キーボード５上にこぼされた液体が、キーボード載置部１１から他へ流れ出すことが防止される。
【００５２】
このような構成のポータブルコンピュータ１によれば、ポータブルコンピュータ１の組立性を確保するとともに、本体２の防水性を高めることができる。すなわち、開口部１４の全周を取り囲む第１の底壁１６を形成した場合、ケーブル９は、キーボード載置部１１を外れた場所に設ける孔から筐体４内に導くことも考えられる。しかし、ケーブル９をこの孔に挿通する作業は非常に手間がかかり、例え本体２の防水性は確保できても、ポータブルコンピュータの組立性が低下してしまう。
【００５３】
一方、本実施形態のポータブルコンピュータ１は、表示ユニット３のケーブル９を筐体４内の基板６に取付ける作業を効率良く行うことができる。すなわち、ケーブル９は、開口部１４を通じて筐体４内に導かれる。開口部１４は、筐体４内を露呈するようにキーボード載置部１１のほぼ全体に亘って大きく開口した開口部であるので、開口部１４を通じてケーブル９の取付け作業を行うと、その作業性が非常に良い。
【００５４】
ケーブル９を切欠き部１７の第１および第２の溝部１７ａ，１７ｂに沿って配置することで、例えケーブル９を開口部１４から筐体４内に取付けても、ケーブル９が第１の底壁１６と重なることを避けることができる。したがって、第１の底壁１６にプレート１２を取付けたとき、プレート１２の下面１２ｂは、第１の底壁１６と密着することができる。
【００５５】
さらに、本実施形態のポータブルコンピュータ１は、蓋１８を有することで、第１の底壁１６と蓋１８の第３の底壁３１とにより開口部１４の全周を取り囲むことができる。したがって、第１の底壁１６と第３の底壁３１とにプレート１２を載置することで、開口部１４回りを水密とすることができる。これにより、開口部１４を通じて筐体４内に液体が侵入することを防止することができる。
【００５６】
特に、第１の底壁１６の上面１６ｕと、第３の底壁３１の上面３１ｕとが同一平面に位置することで、プレート１２の下面１２ｂがより第１および第３の底壁１６、３１に密着することができる。
【００５７】
なお、キーボード基板４４の底面を平滑に形成し、キーボード５を第１および第３の底壁１６，３１に直接密着させても、本体２の防水性は確保できる。しかし、例えば第１ないし第４の係止部３６ａ，３６ｂ，３６ｃ，３６ｄを有するプレート１２を別に取付けることで、これらの係止部３６ａ，３６ｂ，３６ｃ，３６ｄによりプレート１２が第１および第３の底壁１６，３１に均一かつ全体的に密着するため、本体２の防水性は向上する。
【００５８】
蓋１８が接着層３４により第１および第２の段差部２４ａ，２４ｂに取付けられることで、蓋１８と第１および第２の段差部２４ａ，２４ｂとの間に隙間を生じないようにし、この隙間から液体が筐体内へ侵入することを防止することができる。さらに接着層３４を用いることで、蓋１８を第１および第２の段差部２４ａ，２４ｂに容易に取付けることができる。
【００５９】
さらに、蓋１８が第２の溝部１７ｂを覆うことで、キーボード５上にこぼされた液体が、キーボード載置部１１から他へ流れ出すことが防止される。これにより、さらに防水性を高めたポータブルコンピュータ１を得ることができる。
【００６０】
第１の段差部２４ａのねじ穴２８、蓋１８のねじ穴３３、およびキーボード５のねじ穴４６を同軸上に設けることで、一本のねじ４８によりキーボード５から蓋１８、第１の底壁１６までを一度に固定することができる。
【００６１】
なお、接着層３４を設ける場所は、蓋１８の第３の底壁３６の下面３６ａに限らず、例えば、第１および第２の段差部２４ａ，２４ｂの第２の底壁２５および側壁２６，後壁２７に設けても良い。さらに蓋１８の第１および第２の段差部２４ａ，２４ｂへの取付けは、接着層３４に限らず、例えば蓋１８と第１および第２の段差部２４ａ，２４ｂとの間に別のシーリング部材を取付け、蓋１８と第１および第２の段差部２４ａ，２４ｂとを例えばラッチ構造やフックとフック受けなどにより固定しても良い。
【００６２】
次に本発明の第２の実施形態に係る電子機器としてのポータブルコンピュータ１ａを、図９から図１２を参照して説明する。なお、第１の実施形態に係るポータブルコンピュータ１と同じ機能を有する構成は、同一の符号を付してその説明を省略する。
【００６３】
図９に示すように、ポータブルコンピュータ１ａの本体２は、シーリング部材５１を有する。シーリング部材５１は、キーボード載置部１１の第１の底壁１６とプレート１２との間に介在するように取付けられる。シーリング部材５１は、キーボード載置部１１の開口部１４を取り囲むように、開口部１４より一回り大きい枠形をしている。シーリング部材５１の材料としては、吸水性および弾性を有する材料が適しており、例えばスポンジ、ゴム、または樹脂のようなものが好適である。
【００６４】
キーボード載置部１１の第１の底壁１６は、シーリング部材５１が載置される第１の溝５２を有する。第１の溝５２は、シーリング部材５１に対応した枠形をしており、開口部１４を取り囲むように形成されている。第１の溝５２の深さは、例えばシーリング部材５１の厚さの半分である。
【００６５】
図１０に示すように、蓋１８の第３の底壁３１は、同じくシーリング部材５１が載置される第２の溝５３を有する。蓋１８が第１および第２の段差部２４ａ，２４ｂに取付けられたとき、第２の溝５３は、第１の溝５２と連続する。これにより、第１の溝５２と第２の溝５３とにより、開口部１４の全周が囲まれる。
【００６６】
次に、ポータブルコンピュータ１ａの作用について説明する。
【００６７】
図２に示すように、ポータブルコンピュータ１ａの組立は、切欠き部１７に蓋１８を嵌合させた次に、シーリング部材５１を第１の溝５２および第２の溝５３に上方から載置する。シーリング部材５１を載置した後に、プレート１２は、キーボード載置部１１に取付けられる。図１１に示すように、第１ないし第４の係止部３６ａ，３６ｂ，３６ｃ，３６ｄが第１ないし第４の係合部２１ａ，２１ｂ，２１ｃ，２１ｄにそれぞれ係合することで、シーリング部材５１は、第１の底壁１６とプレート１２との間で圧縮される。シーリング部材５１が圧縮されることで、第１の底壁１６とプレート１２との間は完全に水密となる。
【００６８】
このような構成のポータブルコンピュータ１ａによれば、本体２の防水性を高めることができる。本実施形態のポータブルコンピュータ１ａは、切欠き部１７と蓋１８とを有する。これにより、第１の実施形態のポータブルコンピュータ１と同様の効果を得ることができる。
【００６９】
本実施形態のポータブルコンピュータ１ａは、さらに、第１の底壁１６とプレート１２との間にシーリング部材５１を有する。シーリング部材５１により、第１の底壁１６とプレート１２との間は、完全に水密に形成され、キーボード５上にこぼされた液体が筐体４内に侵入することを防止する。これにより、本実施形態のポータブルコンピュータ１ａは、さらに高いレベルの防水性を得ることができる。
【００７０】
特に、本実施形態に係るポータブルコンピュータ１ａでは、シーリング部材５１は、第１の底壁１６と第３の底壁３１により支持されるが、この両者の上面１６ｕ，３１ｕが同一面上にあることで、シーリング部材５１は均一に圧縮される。これは、さらにポータブルコンピュータ１ａの防水性を高めることに寄与する。
【００７１】
なお、シーリング部材５１が取付けられる溝５２，５３が形成される場所は、第１の底壁１６や蓋１８に限られず、例えばプレート１２の下面１２ｂに溝を形成しても良い。
【００７２】
以上、第１および第２の実施形態に係るポータブルコンピュータ１，１ａについて説明したが、本発明はもちろんこれらに限定されるものではない。本発明は、表示ユニット３のケーブル９以外のケーブル、例えばキーボード５のケーブルの取付けに適用しても良い。さらに、本発明が適用される取付部は、キーボード載置部１１に限らず、例えばタッチパッド載置部に適用しても良い。本発明が適用されるのは、ケーブルを通すために切欠き部を設ける場合に限らず、その他の設計上または製造上の理由により設けられる切欠き部であっても適用することができる。
【図面の簡単な説明】
【００７３】
【図１】本発明の第１の実施形態のポータブルコンピュータの斜視図。
【図２】図１中に示された本体の分解斜視図。
【図３】図２中に示された切欠き部回りを示す斜視図。
【図４】図２中に示された切欠き部に蓋を取付けた状態の斜視図。
【図５】図２中に示された第１の係止部の斜視図。
【図６】図２中に示されたプレートのキーボード載置部に対する取付けを示す斜視図。
【図７】図１中に示されたポータブルコンピュータのＡ−Ａ線に沿う断面図。
【図８】図７中に示された切欠き部回りのＢ−Ｂ線に沿う断面図。
【図９】本発明の第２の実施形態のポータブルコンピュータの本体の分解斜視図。
【図１０】図９中に示された切欠き部回りを示す斜視図。
【図１１】図９中に示された切欠き部回りの断面図。
【図１２】図１１中に示された切欠き部回りのＣ−Ｃ線に沿う断面図。
【符号の説明】
【００７４】
１…ポータブルコンピュータ、２…本体、３…表示ユニット、４…筐体、５…キーボード、６…回路基板、８…液晶表示パネル、９…ケーブル、１１…キーボード載置部、１２…プレート、１４…開口部、１６…第１の底壁、１６ｕ…上面、１７…切欠き部、１７ａ…第１の溝部、１７ｂ…第２の溝部、１８…蓋、２４ａ…第１の段差部、２４ｂ…第２の段差部、２５…第２の底壁、３１…第３の底壁、３１ｕ…上面、３４…接着層、５１…シーリング部材。
【図１】
0004703308.tif 000002
【図２】
0004703308.tif 000003
【図３】
0004703308.tif 000004
【図４】
0004703308.tif 000005
【図５】
0004703308.tif 000006
【図６】
0004703308.tif 000007
【図７】
0004703308.tif 000008
【図８】
0004703308.tif 000009
【図９】
0004703308.tif 000010
【図１０】
0004703308.tif 000011
【図１１】
0004703308.tif 000012
【図１２】
0004703308.tif 000013